(57)【特許請求の範囲】
【請求項１】
湯水のミストを噴霧するミストサウナ用ノズルと、浴室洗浄時に洗浄液のミストを噴霧する浴室洗浄用ノズルとを備えると共に、上記湯水のミストが空中に浮遊しやすい程度の小さい粒子径となり、また上記洗浄液のミストが空中に浮遊しにくい程度の大きい粒子径となるように、上記各ノズルのそれぞれのノズル孔径と噴霧流量とが設定され、上記浴室洗浄用ノズルの側方位置に、洗浄液の噴霧範囲を遮断するための庇を配設し、上記庇は、浴室洗浄用ノズルを周回する略円環状に形成されると共に周方向の所定長さに分割可能とする分割用溝が形成されていることを特徴とするミスト噴霧装置。
【請求項２】
上記庇の上端部とこれに対向する浴室洗浄用ノズル周囲の庇取付部のいずれか一方に固定用突起を突設し、いずれか他方に該固定用突起を挿入して固定する固定用挿入孔を設けてなることを特徴とする請求項１に記載のミスト噴霧装置。
【請求項３】
上記洗浄液が次亜塩素酸を含む電解水からなり、上記庇の下方位置に、庇から滴下する電解水を回収するための電解水回収容器を配置してなることを特徴とする請求項１又は請求項２に記載のミスト噴霧装置。
【発明の詳細な説明】
【技術分野】
【０００１】
本発明は、湯水のミスト（サウナ用ミスト）と洗浄液のミストとを噴霧するミスト噴霧装置に関するものである。
【背景技術】
【０００２】
従来から、浴室内に湯水のミストを噴霧してミストサウナを行うことが一般に知られているが、浴室内に発生するカビや雑菌、あるいは身体の垢等の有機汚染物質と、そこから繁殖する菌の代謝物によるぬめり等を抑制するものではなかった。
【０００３】
そこで、従来から、浴室内の空気を換気する第１の機能部と、浴室内に温風を供給する第２の機能部と、湯水のミストを噴霧する第３の機能部と、浴室内に洗浄液のミストを噴霧する第４の機能部とを有する多機能乾燥装置が知られている（例えば、特許文献１参照）。
【０００４】
上記特許文献１に見られる従来例では、共通するノズルから湯水或いは洗浄液のいずれかを選択的に噴霧する構造であり、そのため、第４の機能部による浴室洗浄時において洗浄液のミストを噴霧する場合において、仮りにその水滴（洗浄液）が浴室空間を浮遊しやすい小さな粒子径であると、水滴の単位体積当たりの表面積が比較的大きくなり、落下するまでの間に該水滴の熱が浴室の空気に奪われてしまう。そのため、この水滴の熱が奪われて低温状態で浴室壁などの洗浄対象物に到達してしまうこととなり、高温で且つ大粒子径の洗浄液を洗浄対象物に散布する場合と比較して、洗浄対象物の油汚れなどの汚れが落ちにくいという問題がある。
【０００５】
さらに、第３の機能部によるミストサウナ運転時においては高温水のミストを噴霧する場合において、仮りにその水滴（湯水）が浴室空間を浮遊しにくい大きな粒子径であると、水滴の単位体積当たりの表面積が比較的小さくなり、該水滴の熱がほとんど浴室の空気に奪われなくなるため、浴室内の空気が加熱されないまま浴室床等に落下してしまい、高温多湿のミストサウナを体感できないという問題がある。
【先行技術文献】
【特許文献】
【０００６】
【特許文献１】特開平１１−３１６０８３号公報
【発明の概要】
【発明が解決しようとする課題】
【０００７】
本発明は上記の従来の問題点に鑑みて発明したものであって、ミストサウナ時に高温多湿のミストを浮遊させるものでありながら、浴室洗浄時には洗浄液のミストにより壁面の加熱が促進されて洗浄効果を高めることができるミスト噴霧装置を提供することにあり、さらに洗浄液の噴霧範囲を広げた場合であっても洗浄液で濡らしたくない方向への噴霧を簡易に規制できるようにしたミスト噴霧装置を提供することにある。
【課題を解決するための手段】
【０００８】
前記の課題を解決するために、本発明は、湯水のミストを噴霧するミストサウナ用ノズル１０と、浴室洗浄時に洗浄液のミストを噴霧する浴室洗浄用ノズル４とを備えると共に、上記湯水のミストが空中に浮遊しやすい程度の小さい粒子径となり、また上記洗浄液のミストが空中に浮遊しにくい程度の大きい粒子径となるように、上記各ノズル４、１０のそれぞれのノズル孔径と噴霧流量とが設定され、上記浴室洗浄用ノズル４の側方位置に、洗浄液の噴霧範囲を遮断するための庇２６を配設し、上記庇２６は、浴室洗浄用ノズル４を周回する略円環状に形成されると共に周方向の所定長さに分割可能とする分割用溝２７が形成されていることを特徴としている。
【０００９】
このような構成とすることで、ミストサウナ時には、ミストサウナ用ノズル１０により浴室空間を浮遊し易い小さい粒子径の水滴を噴霧できるので、該水滴（湯水）の単位体積当たりの表面積が大粒子径のものと比べて大きいため、落下するまでの間に浴室１３の空気の加熱が促進され、高温多湿のミストサウナを体感できる。一方、浴室洗浄時には、浴室洗浄用ノズル４から浴室空間を浮遊しにくい大きな粒子径の洗浄液のミストを噴霧できるので、該水滴（洗浄液）の単位体積当たりの表面積が上記小粒子径と比べて小さいため、温度をできるだけ高く維持した状態で浴室壁などの洗浄対象物に到達できるようになり、これにより、壁面の加熱が促進されて油汚れなどの汚れが落ちやすくなり、ぬめりや垢を十分に抑制できるようになる。さらに、洗浄液はミスト状に噴霧されるから、洗浄液をシャワー状に噴霧するものと比べて洗浄液を無駄に使用せず有効に使用できるようになる。また、庇２６によって洗浄液で濡らしたくない方向への噴霧を簡易に規制できるようになる。また、庇２６の周方向の長さを可変にできるので、濡らしたくない対象物の大きさに合わせて噴霧遮断範囲Ｚの変更が容易となる。
【００１０】
また、上記庇２６の上端部とこれに対向する浴室洗浄用ノズル４周囲の庇取付部３６のいずれか一方に固定用突起２９ａを突設し、いずれか他方に該固定用突起２９ａを挿入して固定する固定用挿入孔２９ｂを設けるのが好ましく、この場合、庇２６を浴室洗浄用ノズル４周囲の任意の角度で固定できるので、濡らしたくない対象物の方向に合わせて、庇２６の方向を容易に変更可能となる。
【００１１】
また、上記洗浄液が次亜塩素酸を含む電解水からなり、上記庇２６の下方位置に、庇２６から滴下する電解水を回収するための電解水回収容器を配置するのが好ましく、この場合、電解水回収容器に溜められた次亜塩素酸が含まれた電解水を、浴室１３以外の場所、例えば台所の水周り等の場所の殺菌にも有効利用できるようになる。
【００１２】
本発明は、ミストサウナ時には高温多湿のミストサウナを体感できるものでありながら、浴室洗浄時には洗浄液のミストにより洗浄効果を高めることができるミスト噴霧装置が得られるものである。
【００１３】
また本発明は、洗浄液の噴霧範囲を広げた場合でも、庇を利用して洗浄液で濡らしたくない方向への噴霧を簡易に規制できるものである。
【図面の簡単な説明】
【００１４】
【図１】本発明のミストサウナ用ノズルと浴室洗浄用ノズルとからなるミスト噴霧装置を備えた浴室暖房乾燥機の配管図である。
【図２】同上の浴室暖房乾燥機の概略構成図である。
【図３】同上の浴室暖房乾燥機を浴室の天井部に設置した場合の斜視図である
【図４】（ａ）は同上のミストサウナ用ノズルの噴霧範囲の説明図であり、（ｂ）は同上の浴室洗浄用ノズルの噴霧範囲の説明図である。
【図５】（ａ）は同上の浴室洗浄用ノズルの取り付け角度を真下に向けた状態における噴霧範囲の説明図であり、（ｂ）は浴室洗浄用ノズルの取り付け角度を真下よりも洗い場側に傾けて取り付けた状態における噴霧範囲の説明図である。
【図６】（ａ）は同上の浴室洗浄用ノズルを浴室洗浄装置の中央側に設置した場合の噴霧範囲の説明図であり、（ｂ）は局部洗浄ノズルを浴室洗浄装置の洗い場側の端部に設置した場合の噴霧範囲の説明図である。
【図７】（ａ）は同上の浴室洗浄用ノズルの側方位置に配置される庇の斜視図であり、（ｂ）〜（ｄ）は同上の庇を浴室洗浄用ノズル周辺の庇取付部に対して取り付ける場合の説明図である。
【図８】（ａ）は同上の浴室洗浄用ノズルの噴霧範囲内に出窓が存在する場合の説明図であり、（ｂ）は同上の庇によって出窓に洗浄液がかからないように浴室洗浄用ノズルの噴霧範囲を遮断する場合の説明図である。
【図９】（ａ）は同上の庇の周方向の長さを長くした場合の噴霧遮断範囲の説明図であり、（ｂ）は同上の庇の周方向の長さを短くした場合の噴霧遮断範囲の説明図であり、（ｃ）、（ｄ）は同上の浴室洗浄用ノズルに対する庇の取り付け方向を変更する場合の説明図である。
【図１０】（ａ）は同上の庇にノズルクランプを設けた場合の他例を示す斜視図であり、（ｂ）はこの庇を浴室洗浄用ノズルに保持した状態の説明図である。
【図１１】同上の暖房機本体、電解水生成装置、ミスト噴霧装置、換気ファン等を制御する制御部の説明図である。
【図１２】同上の浴室洗浄用ノズルの断面図である。
【図１３】（ａ）は同上の浴室洗浄用ノズル内部に組み込まれるノズルチップを示し、（ｂ）のＥ−Ｅ線に沿う断面図であり、（ｂ）は（ａ）の側面図である。
【図１４】（ａ）は同上のノズルチップの斜視図であり、（ｂ）は洗浄液が旋回流となってノズルチップの流入溝からテーパ部を経て噴射穴内に流入する状態を説明する一部破断斜視図である。
【発明を実施するための形態】
【００１５】
以下、本発明を添付図面に示す実施形態に基いて説明する。
【００１６】
図１は本発明のミスト噴霧装置を備えた浴室暖房乾燥機の配管例であり、図２は浴室暖房乾燥機の構成図であり、図３は浴室暖房乾燥機の設置例の説明図である。
【００１７】
本実施形態の浴室洗浄装置１は、ミストサウナとしての機能、浴室暖房換気装置としての機能、次亜塩素酸を含む電解水による浴室洗浄機能をそれぞれ備えており、浴室１３の天井部に設置される。なお図３中の１５は浴室１３外に設置されるリモコン操作部であり、ミストサウナ運転スイッチ、浴室洗浄スイッチ、暖房運転スイッチ、換気運転スイッチ、乾燥運転スイッチ、涼風運転スイッチ等のスイッチ類（図示せず）が設けられている。
【００１８】
浴室洗浄装置１は、図１に示すように、浴室１３内に温風を供給する暖房機本体２と、通電により次亜塩素酸を含む電解水を生成する電解水生成装置６と、ミストサウナ用ノズル１０と浴室洗浄用ノズル４とを備えるミスト噴霧装置３と、浴室１３内の空気を吸い込んで屋外に排出する換気ファン４２と、これらを制御する制御部３９（図１１）とで主体が構成されている。
【００１９】
制御部３９は、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて暖房機本体２、ミスト噴霧装置３の電磁弁２２、２３、電解水生成装置６、換気ファン４２等の各構成部品を駆動制御するマイクロコンピュータにより構成される。
【００２０】
換気ファン４２は、図２に示すように、換気用ダクト４１内に設けられ、換気ファン４２と換気用ダクト４１の換気出口との間に、逆風圧などによる屋外からの空気の逆流を防止する逆流防止シャッター２４を備えている。逆流防止シャッター２４は換気時には換気による風圧により支点を中心に揺動することで開放され、換気を停止すると自重により換気用ダクト４１を閉塞し、外気が浴室１３内に侵入することを防止する。換気時に、ファンモータ３５を作動させると浴室１３内の空気は換気ファン４２により換気用ダクト４１及びベントキャップ４０を経て、浴室１３外の屋外空間に放出されるようになっている。
【００２１】
本浴室洗浄装置１の機器ケーシング２５内には、図１に示すように、循環ファン５と、循環ファン５により通風される空気を熱源機１４（図３）から供給される温水により加熱する暖房用熱交換器７と、暖房用熱交換器７への温水の供給量を調節する熱動弁８とがそれぞれ収納されている。暖房用熱交換器７は、熱源機１４からの温水が循環する暖房用温水管路１６の途中に配置され、熱動弁８を開放することで、循環ファン５からの風が暖房用熱交換器７により加熱されて、下方の温風吹き出し口３１に設けた可動ルーバー３０（図２）から浴室１３内に供給されるようになっている。さらに暖房用温水管路１６の途中には、機器ケーシング２５上に設置されるミストボックス３２内に収納された液々熱交換器からなるミスト用熱交換器１１を加熱するためのミスト加熱用温水管路１９が分岐接続されている。ミスト加熱用温水管路１９の上流端は暖房用温水管路１６の熱動弁８よりも上流位置に分岐接続され、ミスト加熱用温水管路１９の下流端は暖房用温水管路１６の暖房用熱交換器７よりも下流位置に合流している。
【００２２】
さらに上記ミストボックス３２から機器ケーシング２５に亘って、浴室洗浄兼ミスト用給水管路２０が配管されており、この管路途中にミスト用熱交換器１１が配置されている。浴室洗浄兼ミスト用給水管路２０のミスト用熱交換器１１よりも上流側は、後述する電解水生成装置６を介して、外部の水道管に接続されている。浴室洗浄兼ミスト用給水管路２０のミスト用熱交換器１１よりも下流側の部分はミストサウナ用電磁弁２２及び浴室洗浄用電磁弁２３の２方向に分岐し、ミストサウナ用電磁弁２２の下流側にはミストサウナ用ノズル１０が接続され、浴室洗浄用電磁弁２３の下流側には浴室洗浄用ノズル４が接続されている。これら浴室洗浄用ノズル４及びミストサウナ用ノズル１０は、それぞれ、機器ケーシング２５下面の開口孔から浴室１３内に臨んで配置されている。本例では、ミストサウナ用電磁弁２２が開弁した時には粒子径が５０〜１００μｍ程度の水滴が噴霧されミストサウナを楽しむことができ、浴室洗浄用電磁弁２３が開弁した時には浴室洗浄用ノズル４から粒子径が１００〜３００μｍ程度の水滴が噴霧されて浴室洗浄に供される。
【００２３】
また、上記暖房用温水管路１６から分岐されたミスト加熱用温水管路１９の途中には、ミスト加熱用温水管路１９からミスト用熱交換器１１に供給される水温が適切になったときにミスト用熱交換器１１に供給される温水の流量の調節を行う水比例弁１２と、ミスト用熱交換器１１からの循環温水の戻り温度を検知するための温水戻り温度センサー２１とがそれぞれ設置されている。なお、水比例弁１２を全閉にすることによりミスト用熱交換器１１に供給される温水を遮断することが可能である。さらにミスト用熱交換器１１から吐出する水の温度を検知するためのミスト温度センサー１８が設置されている。
【００２４】
上記電解水生成装置６は、被電解水に浸漬した電極間に電流を流して次亜塩素酸を含む電解水を生成する電解槽を備えたものであり、電解槽への直流電流の通電により、正極では、供給される水道水中に含まれる塩素イオン（２Ｃｌ−）が酸化反応により電子（２ｅ−）を奪われて塩素（Ｃｌ２）が発生すると共に、液中では、発生した塩素（Ｃｌ２）が水（Ｈ２Ｏ）と反応して殺菌作用がある次亜塩素酸（ＨＯＣｌ）が生成される。負極では、還元反応により水素イオン（２Ｈ＋）と電子（２ｅ−）とが結合して水素ガス（Ｈ２）が発生するものである。
【００２５】
次に、ミストサウナ運転開始動作の一例を説明する。リモコン操作部１５のミストサウナ運転スイッチを押すと制御部３９（図１１）にミストサウナ運転開始を指令する信号が送られ、温水供給用の熱源機１４（図３）に運転信号を出し、熱源機１４が暖房運転を開始する。次いで、温風側の熱動弁８、ミスト側の水比例弁１２がそれぞれ開き、８０℃の循環温水が暖房用温水管路１６内及びミスト加熱用温水管路１９内を循環し始める。次いで、温水往き温度が６０℃以上になると、循環ファン５がＯＮとなり、浴室１３に温風を送る。その後、浴室温度が２５℃以上になるとミストサウナ用電磁弁２２を開いて、ミストサウナ用ノズル１０から湯水のミスト噴霧が開始される。
【００２６】
次に、浴室洗浄運転動作の一例を説明する。以下、洗浄に用いる温水又は電解水を総称して、洗浄液と定義する。
【００２７】
先ず温水による浴室洗浄を説明する。リモコン操作部１５の浴室洗浄スイッチを押すと、制御部３９に浴室洗浄運転開始を指令する信号が送られ、温水供給用の熱源機１４（図３）に運転信号を出し、熱源機１４が暖房運転を開始する。次いで、ミスト側の水比例弁１２が開き、８０℃の循環温水がミスト加熱用温水管路１９内を循環し始め、ミスト用熱交換器１１に温水が供給される。その後、浴室洗浄用電磁弁２３を開いて、浴室洗浄用ノズル４から温水（洗浄液）のミスト噴霧を開始する。このように温水を噴霧することで、石鹸カスや皮脂等を効果的に洗い流すことが可能である。
【００２８】
なお、温水による洗浄では、温度が上昇してカビや雑菌等の微生物が繁殖しやすい状態にある。そこで、洗浄した後に浴室壁等の被洗浄物の温度を低下させるため、ミスト側の水比例弁１２を全閉とし、熱源機１４からの循環温水のミスト加熱用温水管路１９への流入を停止することで、ミスト用熱交換器１１の加熱が停止され、浴室洗浄用ノズル４から噴霧される洗浄液の温度は供給される水温（常温）程度にまで低下させることができる。
【００２９】
一方、洗浄効果をより高めるために、浴室洗浄運転中に、制御部３９からの指令により、電解水生成装置６に通電して次亜塩素酸を発生させ、次亜塩素酸が含まれた電解水を浴室洗浄用ノズル４から噴霧させる。これにより、次亜塩素酸の殺菌効果により、温水の場合と比較して、被洗浄物の殺菌をより効果的に行うことができる。
【００３０】
ここで、本発明においては、ミストサウナ用ノズル１０から噴霧されるサウナ用ミストの水滴の粒子径を、５０〜１００μｍ程度とし、１００μｍ以下のものが大半を占めるようにミストサウナ用ノズル１０のノズル孔径と噴霧流量とを設定してある。具体的には、ミストサウナ用ノズル１０のノズルの孔径は０．７ｍｍ程度、噴霧流量は０．２５〜０．５リットル／分に設定してある。これによりサウナ用ミストの水滴が浴室空間を浮遊し易くなって、浴室床等に落下するまでの間に、該水滴（温水）と浴室１３内の空気との熱交換により浴室１３の空気の加熱が促進されるようになる。従って、高温多湿のミストサウナを体感できるようになる。
【００３１】
一方、浴室洗浄用ノズル４から噴霧される洗浄液の水滴（温水又は次亜塩素酸を含む電解水）の粒子径については、空中に浮遊しにくい程度の１００〜３００μｍ程度とし、粒子径の平均値が１５０μｍ程度となるように浴室洗浄用ノズル４のノズル孔径と噴霧流量とが設定されている。以下、具体的に説明する。
【００３２】
例えば、粒子の平均粒子径が１５０μｍ程度であるミストを噴霧する具体的な構成は種々あるが、本実施形態では浴室洗浄用ノズル４のノズル本体６３内に、旋回流発生手段を設けたノズルチップ６０を備え、このノズルチップ６０の噴射穴６０ａから旋回流の噴霧を発生させる構成としている。さらに具体的には、図１２に示すように、浴室洗浄用ノズル４は、筒状のノズル本体６３と、該ノズル本体６３内部に固定されるセラミック製のノズルチップ６０とを備える。本実施形態では、ノズル本体６３は銅にメッキを施し成形している。セラミック製のノズルチップ６０は、図１３（ａ）（ｂ）に示すように、大略円筒形状とし、ノズルチップ６０の上流側端面に流入溝７０を有する筒部６６が形成され、ノズルチップ６０の下流側端面中央にノズル本体６３の出口６５に通じる噴口６０ｂが形成され、筒部６６から噴口６０ｂに向かってテーパ部６０ｃと噴射穴６０ａとが順次形成されている。噴射穴６０ａの穴径は筒部６６の内径よりも小さく設定され、テーパ部６０ｃは上流側端部が筒部６６の内周面に連続し且つ下流側端部が噴射穴６０ａの内周面に連続するような円錐面状に形成されている。
【００３３】
筒部６６の前端開放端は、ノズル本体６３内部に設けたスプリング６２で付勢されたクローザ６１によって閉じられている。筒部６６の周方向の２箇所には一対の流入溝７０が切欠形成されている。各流入溝７０は、筒部６６外周の流入溝入口７０ａから筒部６６の内面壁６０ｄの流入溝出口７０ｂに向けて形成されており、ノズル本体６３内に流入する洗浄液Ｗは流入溝７０を経由してノズルチップ６０内に流入する。
【００３４】
本実施形態では、流入溝入口７０ａと流入溝出口７０ｂとを結ぶ流入溝７０の中心線は、噴射穴６０ａを通る中心線Ｅ（図１３（ｂ）、図１４（ａ））ではなく、筒部６６の内面壁６０ｄ側に偏向させて流入溝７０が形成されている。つまり、流入溝７０の中心線が筒部６６の内面壁６０ｄに略平行となるように傾いているから、流入溝入口７０ａから流入して流入溝出口７０ｂを経てノズルチップ６０内に導入される洗浄液Ｗの流れは、図１４の矢印で示す旋回流となってノズルチップ６０内に導入される。なお、噴射穴６０ａの直径は０．５〜１ｍｍ程度、流入溝７０の溝幅は０．５〜１ｍｍ程度にしてある。これにより、浴室洗浄用ノズル４において洗浄液Ｗが通過する最小狭部寸法（本実施形態では流入溝７０の溝幅）を０．５〜１ｍｍ程度とすることができるから、電解水生成装置６の電極において析出物が発生した場合にも、この析出物は浴室洗浄用ノズル４を容易に通過することができ、浴室洗浄用ノズル４における詰まりが防止できる。
【００３５】
一方、シャワーヘッドに微小穴を設けただけの噴霧方式で粒子径の平均値が１５０μｍ程度の水滴の噴霧を行う場合には上記微小穴の穴径は噴霧される水滴の粒子径程度まで小さくすることとなってしまうから、本実施形態に比べて析出物が詰まり易いものになってしまう虞があるものである。
【００３６】
つまり、本実施形態では上述のように旋回流方式の浴室洗浄用ノズル４を採用しているから、電解水生成装置６の電極において析出物が発生した場合にも、上記析出物が詰まりにくい構成となっている。
【００３７】
また、浴室洗浄用ノズル４に供給される洗浄液Ｗの流量は０．５〜２リットル／分に設定してあり、ノズル本体６３内に流入する洗浄液Ｗは、ノズルチップ６０の筒部６６の流入溝７０を通り、図１４の矢印で示す旋回流となって筒部６６内面から噴射穴６０ａの内周面にかけて形成されるテーパ部６０ｃを経由して噴射穴６０ａに流入する。この旋回流Ｗは、テーパ部６０ｃを経由することでその回転半径を縮小しながら噴射穴６０ａ内に流入する。この流入する洗浄液Ｗは、噴射穴６０ａの内周面に旋回しながら衝突するため水滴が微細化され、噴口６０ｂから１００〜３００μｍ程度で粒子径の平均値が１５０μｍ程度の水滴となって噴射されるものである。
【００３８】
これにより、洗浄液の水滴が浴室１３の空気中に浮遊しにくくなって、この水滴の温度をできるだけ維持した状態で浴室壁などの洗浄対象物に到達するようになり、壁面の加熱が促進されて油汚れなどの汚れが落ちやすくなり、ぬめりや垢を十分に抑制できるようになる。
【００３９】
さらに、洗浄液はミスト状に噴霧されるから、洗浄液をシャワー状に噴霧するものと比べて洗浄液を無駄に使用せず有効に使用できるようになる。例えば、洗浄液の平均粒子径が１５０μｍでミスト状に噴霧される場合は、洗浄液の平均粒子径が１ｍｍ程度でシャワー状に噴霧される場合と比較すると、洗浄液の粒子一個の体積が約三百分の一であるから、同じ個数の洗浄液粒子を噴霧した時の洗浄液の消費量を約三百分の一にすることができるものであり、本実施形態では洗浄液をシャワー状に噴霧しないで、粒子径が１ｍｍの数分の一程度のミスト状に噴霧するものであるから、少ない洗浄液の消費量で広い範囲に洗浄液を噴霧することが可能となると共に、洗浄の対象物以外に洗浄液が飛散した場合にも洗浄液が無駄に消費される量が少なく省資源である。そのうえ、洗浄液の消費量が少なくて済むから、電解水生成装置６やミスト用熱交換器１１の処理能力は小さいものでよく、浴室洗浄装置の小型化を図ることができる。
【００４０】
ところで、浴室洗浄時には、浴室洗浄用ノズル４からの洗浄液の噴霧範囲ができるだけ広い方が好ましい。以下、洗浄液の噴霧範囲を広げる実施形態を説明し、その後、洗浄液の噴霧範囲を遮断する実施形態を説明する。
【００４１】
先ず、浴室洗浄用ノズル４からの洗浄液の噴霧範囲を広げる一例を説明する。
【００４２】
ちなみに、ミストサウナ運転時においてミストサウナ用ノズル１０から噴霧される湯水の噴霧広がり角度θ１は、図４（ａ）に示すように、浴室１３内の入浴者が存在する場所に向けて効果的にサウナ用ミストが噴霧されるように６０〜８０°程度に設定されている。これにより浴室壁にはほとんどサウナ用ミストが当たらないようにできる。
【００４３】
これに対して、浴室洗浄運転においては、浴室洗浄用ノズル４から噴霧される洗浄液の噴霧広がり角度θ２は、図４（ｂ）に示すように、浴室１３内の被洗浄物に向けて広範囲に洗浄液が噴霧されるように、１００〜１８０°程度に設定する。これにより、洗浄液を浴室壁のほぼ全域に当てることができて浴室１３の洗浄が促進される。
【００４４】
また、浴室１３の天井に浴室洗浄装置１を設置するにあたって、浴室洗浄用ノズル４が平面視で浴室１３の中心付近に位置するとは限らず、種々の要因から、浴室洗浄用ノズル４は浴室１３天井の中心部付近ではなく、例えば浴槽側壁面１３ａに近付いた位置（洗い場側壁面１３ｂから遠ざかった位置）に設置される場合が多い。この場合、図５（ａ）に示すように、洗浄液の噴霧の中心方向が真下（洗浄液の噴霧の中心方向と鉛直線Ａとの角度が０°）の時には、浴槽側壁面１３ａに対しては天井に近い領域まで洗浄液が到達するが、洗い場側壁面１３ｂに対しては天井に近い領域には洗浄液が到達しにくい状態となる。このため浴槽側壁面１３ａに対する洗い場側壁面１３ｂの洗浄液の噴霧高さの差Ｂが大きくなり、洗い場側壁面１３ｂの洗浄高さが不十分となる。
【００４５】
これを改善するために、図５（ｂ）に示すように、浴室洗浄用ノズル４の中心方向Ｄを鉛直線Ａよりも洗い場側壁面１３ｂ側に向けて１０°〜２０°の角度αで偏向して取り付けるようにするのが好ましい。これにより、浴室洗浄用ノズル４から浴槽側壁面１３ａまでの距離よりも、浴室洗浄用ノズル４から洗い場側壁面１３ｂまでの距離の方が大きいことから、浴槽側壁面１３ａに対しては洗浄液の噴霧範囲の上限が多少低くなるものの、洗い場側壁面１３ｂに対しては洗浄液の噴霧範囲の上限が高くなる。これにより、洗浄液の噴霧の中心方向が真下のときの差Ｂ（図５（ａ））に比べて、高さの差Ｃが小さくなり、この結果、噴霧広がり角度θ２を広げることなく、浴室壁のほぼ全域に洗浄液の噴霧範囲を広げることができる。
【００４６】
また、浴槽５０が浴室１３の何れかの一方の壁面に隣接して設置され、ミストサウナとしての機能を備えた浴室洗浄装置１が浴槽５０のほぼ真上に設置される場合が多く見受けられる。この場合、図６（ａ）に示すように、浴室洗浄用ノズル４が浴室洗浄装置１の側面視で中央部付近にあると、浴室洗浄用ノズル４から噴霧された洗浄液が浴槽５０の縁５０ａで遮られて、浴槽５０の洗い場５１側のエプロン周辺部分に噴霧の死角となる領域Ｘが生じてしまい、この領域Ｘが広いため洗浄液の届く範囲が狭くなる。
【００４７】
そこで、図６（ｂ）に示すように、浴室洗浄装置１の洗い場側の端部に寄せて浴室洗浄用ノズル４を配置することで、浴室洗浄装置１の取り付け位置を変えることなく、浴室洗浄用ノズル４のみを浴室１３中央側に位置させることができるようになり、これにより、噴霧された洗浄液がかかりにくい領域Ｙの広さを図６（ａ）の領域Ｘよりも少なくすることができる。また、しぶきによる洗浄によって狭い領域Ｙ内にも洗浄液が届き易くなることから、洗浄液の届く範囲が広がる。
【００４８】
このように、浴室洗浄装置１に対する浴室洗浄用ノズル４の取り付け角度及び取り付け位置のそれぞれの設計変更によって、洗浄液の噴霧範囲を広げることが可能となる。
【００４９】
次に、洗浄液の噴霧範囲を遮断する一例を説明する。
【００５０】
図８（ａ）に示すように、浴室壁の一部に洗浄液を噴霧したくない部位、例えば出窓５２等が存在していると、浴室壁のほぼ全域にわたって洗浄液の噴霧範囲を広げた場合には、出窓５２にも洗浄液が噴霧されて出窓５２を濡らしてしまう不都合がある。
【００５１】
そこで、本発明では、図８（ｂ）に示すように、浴室洗浄用ノズル４の近傍位置に、出窓５２への噴霧範囲を規制するための庇２６を取り付けている。
【００５２】
図７（ａ）は庇２６の一例を示し、図７（ｂ）〜（ｄ）は庇２６の取り付け状態の一例を示す。
【００５３】
本例の庇２６は、図７（ａ）に示すように、浴室洗浄用ノズル４を周回する略円環状に形成されると共に周方向の所定長さに分割可能とする分割用溝２７を複数備えている。具体的には、庇２６は樹脂製の矩形片を円弧状に湾曲させた略半円筒面の形状をしており、その内面の軸方向と平行にＶ溝状の分割用溝２７が周方向に間隔をあけて複数形成されており、庇２６はナイフや鋏などの工具を用いて、分割用溝２７の位置で分割可能となっている。庇２６を分割用溝２７の位置で分割することにより、庇２６の円周方向の長さ寸法を適宜変更できるようになっている。
【００５４】
さらに図７（ｂ）〜（ｄ）に示すように、上記庇２６の軸方向の上端部には、固定用突起２９ａが突設され、浴室洗浄装置１の機器ケーシング２５の下面における浴室洗浄用ノズル４周囲の庇取付部３６には、浴室洗浄用ノズル４を中心とした環状の固定用ガイド溝２８が凹設されており、固定用ガイド溝２８の底面には上記固定用突起２９ａを挿入するための固定用挿入孔２９ｂを周方向に間隔をあけて複数個設けてある。なお、固定用挿入孔２９ｂを庇２６の上端面側に設け、固定用突起２９ａを固定用ガイド溝２８から突設させる構造も可能である。
【００５５】
上記庇２６を浴室洗浄用ノズル４の側方位置に取り付けるには、庇２６の固定用突起２９ａが設けられた側の上端面を固定用ガイド溝２８に挿入しながら固定用突起２９ａをいずれか１つの固定用挿入孔２９ｂに挿入することで庇２６が固定される。本例の固定用突起２９ａには、固定用突起２９ａが固定用挿入孔２９ｂに挿入された状態で変形することによる反発力により固定用突起２９ａを固定用挿入孔２９ｂ内に保持するような、スプリング性を備えたもので構成されているから、固定用挿入孔２９ｂに一旦取り付けられた庇２６は、浴室洗浄装置１の運転による振動や自重によって不用意に浴室洗浄装置１の機器ケーシング２５における庇取付部３６から外れることがないものである。
【００５６】
庇２６の使用の具体例を図８、図９に示す。庇２６により、浴室洗浄用ノズル４を中心とした円周上に円弧状障壁が形成されることになり、浴室洗浄用ノズル４から噴霧される洗浄液を遮ることにより庇２６が存在する方向には洗浄液が飛散しないことになる。また、庇２６の周方向の長さ寸法を長くすると、図９（ａ）に示すように、水平方向の噴霧遮断範囲Ｚを広げることができ、逆に、短くすると図９（ｂ）に示すように、水平方向の噴霧遮断範囲Ｚを狭めることができるので、出窓５２の巾寸法に応じて噴霧遮断範囲Ｚを容易に可変可能となる。
【００５７】
また、図７（ｂ）に示すように、固定用ガイド溝２８の底面に複数設けてある固定用挿入孔２９ｂの中から、固定用突起２９ａを挿入するための固定用挿入孔２９ｂを適宜選択することにより、図９（ｃ）或いは（ｄ）に示すように、浴室洗浄用ノズル４に対する庇２６の取り付け方向が変更可能となり、出窓５２の取り付け位置に応じて噴霧遮断範囲Ｚを任意に変更できる構造となる。
【００５８】
従って、洗浄液が噴霧されて出窓５２が濡れてしまうような設置条件であっても、浴室洗浄用ノズル４からの洗浄液の噴霧範囲を狭めたりすることなく、浴室洗浄用ノズル４から出窓５２側に向かって噴霧された洗浄液を庇２６で遮ることができて、洗浄液により出窓５２が濡れないようにできる利点がある。
【００５９】
図１０は庇２６の他の実施形態を示す。本例の噴霧遮断用庇２６は、前記固定用ガイド溝２８（図７）を設ける代わりに、図１０（ａ）に示すように、浴室洗浄用ノズル４を着脱自在に保持する平面視略Ｃ字状のノズルクランプ３７を庇２６の上端部に一体に設けている。他の構成は図７と同様である。本例では、図１０（ｂ）に示すように、固定用突起２９ａを固定用挿入孔２９ｂに挿入したときにノズルクランプ３７が浴室洗浄用ノズル４の外周面に設けた環状凹溝３８の略半周以上に亘って嵌合することによって、庇２６が浴室洗浄用ノズル４を中心とした外周位置に保持されるようになっている。また本例の固定用突起２９ａはスプリング性を備えておらず、ノズルクランプ３７にスプリング性を備えており、ノズルクランプ３７が浴室洗浄用ノズル４を任意の角度から把持することができて、庇２６の取り付け位置が変更自在となっている。また本例においても、複数設けてある固定用挿入孔２９ｂの中から、固定用突起２９ａを挿入するためのいずれか１つの固定用挿入孔２９ｂを適宜選択することで、噴霧遮断範囲の方向変換が容易となる。
【００６０】
さらに他の実施形態として、上記庇２６（図９、図１０）の下方位置に、庇２６から滴下する次亜塩素酸を含む電解水を回収するための電解水回収容器（図示せず）を配置することが望ましい。これにより浴室洗浄時に庇２６から浴室１３床に滴下する次亜塩素酸を含んだ洗浄液を電解水回収容器に回収できるものであり、また電解水回収容器を取り外し可能とすることで、回収した洗浄液を浴室１３以外の殺菌にも使用可能となる。さらに電解水回収容器を蓋により密閉できるようにしておくことで、回収後時間が経過しても回収した洗浄液から遊離した塩素が空気中に放散されず殺菌力が維持できるのでなお好ましい。
【符号の説明】
【００６１】
１  浴室洗浄装置
３  ミスト噴霧装置
４  浴室洗浄用ノズル
６  電解水生成装置
１０  ミストサウナ用ノズル
１３  浴室
２６  庇
２７  分割用溝
２８  固定用ガイド溝
２９ａ  固定用突起
２９ｂ  固定用挿入孔
３６  庇取付部
４２  換気ファン
【図１】
0005465951.tif 000002
【図２】
0005465951.tif 000003
【図３】
0005465951.tif 000004
【図４】
0005465951.tif 000005
【図５】
0005465951.tif 000006
【図６】
0005465951.tif 000007
【図７】
0005465951.tif 000008
【図８】
0005465951.tif 000009
【図９】
0005465951.tif 000010
【図１０】
0005465951.tif 000011
【図１１】
0005465951.tif 000012
【図１２】
0005465951.tif 000013
【図１３】
0005465951.tif 000014
【図１４】
0005465951.tif 000015